(57)【要約】【課題】排水口に装着するだけで、流し台用のゴミ受けすのこのみならず、排水口の周辺やシンクなどを清潔に保つことができる流し台用のゴミ受けすのこの提供を図る。【解決手段】流し台の排水口ｂに装着して用いられる流し台用のゴミ受けすのこ１であって、このゴミ受けすのこ１は、筒状部１２と、筒状部１２の下部に設けられた底部とを備えた本体と、この本体の少なくとも一部の表面側に形成された除菌・抗菌性金属皮膜とを備える。本体の底部には透水孔が形成され、筒上部１２には透水穴１６が形成されると共に、筒状部１２の上端にはフランジ部１５を備える。除菌・抗菌性金属皮膜は、銀、銅、亜鉛から選択された少なくとも１種の除菌・抗菌作用を有する金属を含有したものである。【選択図】          図４
0003133905.tif 000002
【実用新案登録請求の範囲】
【請求項１】
流し台の排水口に装着して用いられる流し台用のゴミ受けすのこにおいて、
筒状部と、筒状部の下部に設けられた底部とを備えた本体と、この本体の少なくとも一部の表面側に形成された除菌・抗菌性金属皮膜とを備え、
本体の少なくとも底部には透水孔が形成され、
除菌・抗菌性金属皮膜は、銀、銅、亜鉛から選択された少なくとも１種の除菌・抗菌作用を有する金属を含有したものであることを特徴とする流し台用のゴミ受けすのこ。
【請求項２】
上記の本体は、アルミニウム合金板が加工されて形成されたものであり、
電解加工により、当該合金板の表面に、上記の除菌・抗菌性金属皮膜が形成されたものであることを特徴とする請求項１に記載の流し台用のゴミ受けすのこ。
【請求項３】
上記の本体は筒状部の上端から外方向に形成されたフランジ部を備え、このフランジ部に除菌・抗菌性金属皮膜が形成され、筒上部には上記の底部の透水孔よりも大きな透水穴が形成されことを特徴とする請求項２に記載の流し台用のゴミ受けすのこ。
【考案の詳細な説明】
【技術分野】
【０００１】
本願考案は、流し台用のゴミ受けすのこに関するものである。
【背景技術】
【０００２】
今日の流し台は、排水口に筒状のゴミ受けすのこを装着して用いるようにしたものが一般的である。より詳しくは、排水口の上端にはトラップ構造が採用され、その上にゴミ受けすのこが設けられ、このゴミ受けすのこの開口が流し台の底部に開口している。
ところが、このゴミ受けすのこにゴミが溜まると、雑菌が繁殖し、日々掃除をしてもヌメリや汚れがつくことは勿論、排水トラップや流し台のシンクの底部などにもヌメリや汚れが発生してしまう。
【考案の開示】
【考案が解決しようとする課題】
【０００３】
本願考案は上記の事情に鑑み、排水口に装着するだけで、流し台用のゴミ受けすのこのみならず、排水口の周辺やシンクなどを清潔に保つことができる流し台用のゴミ受けすのこの提供を課題とする。
【課題を解決するための手段】
【０００４】
本願の請求項１に係る考案は、流し台の排水口に装着して用いられる流し台用のゴミ受けすのこにおいて、筒状部と、筒状部の下部に設けられた底部とを備えた本体と、この本体の少なくとも一部の表面側に形成された除菌・抗菌性金属皮膜とを備え、
本体の少なくとも底部には透水孔が形成され、除菌・抗菌性金属皮膜は、銀、銅、亜鉛から選択された少なくとも１種の除菌・抗菌作用を有する金属を含有したものであることを特徴とする流し台用のゴミ受けすのこを提供する。
本願の請求項２に係る考案は、上記の本体は、アルミニウム合金板が加工されて形成されたものであり、電解加工により、当該合金板の表面に、上記の除菌・抗菌性金属皮膜が形成されたものであることを特徴とする請求項１に記載の流し台用のゴミ受けすのこを提供する。
本願の請求項３に係る考案は、上記の本体は筒状部の上端から外方向に形成されたフランジ部を備え、このフランジ部に除菌・抗菌性金属皮膜が形成され、筒上部には上記の底部の透水孔よりも大きな透水穴が形成されことを特徴とする請求項２に記載の流し台用のゴミ受けすのこを提供する。
【考案の効果】
【０００５】
本願考案に係る流し台用のゴミ受けすのこは、銀、銅、亜鉛から選択された少なくとも１種の、除菌・抗菌作用を有する金属を含有する除菌・抗菌性金属皮膜が形成されているため、この除菌・抗菌性金属皮膜から放散された当該金属のイオンにより、ゴミ受けすのこは勿論、ゴミ受けすのこ周辺の流し台や排水口が除菌され、ヌメリ汚れの発生を防止し、常に清潔な状態に流し台を維持することができる。本体は筒状部の上端から外方向に形成されたフランジ部を備え、このフランジ部に除菌・抗菌性金属皮膜が形成されることによって、種々の大きさの排水口に設置可能であり、同時に、フランジが係合する流し台のシンクの底部周辺を清潔に保つことに効果を発揮するものである。
【考案を実施するための最良の形態】
【０００６】
以下、図面に基づき本願考案の実施の形態を示す。図１は本例の流し台用のゴミ受けすのこの正面図であり、図２は同平面図であり、図３は図１の要部拡大断面図であり、図４は同使用状態の説明図である。
【０００７】
本例のゴミ受けすのこ１は、図４に示すように、流し台のシンクａの底部に設けられた排水口ｂに取り付けて用いられる。図中ｃは、排水口ｂの排水トラップを示す。
このゴミ受けすのこ１は、筒状部１２と、筒状部１２の下部に設けられた底部１３とを備えた金属製本体１１と、この本体の表面に形成された除菌・抗菌性金属皮膜２とを備える。
このゴミ受けすのこ１の底部１３には、透水孔１４が形成されおり、ゴミを底部１３の上部に残し、水のみを透水孔１４から排水するものである。この底部１３は、筒状部１２と一体に形成してもよいが、パンチングメタルなどで別体に形成した底部１３を、筒状部１２にカシメ止めしてもよい。
【０００８】
筒状部１２は、下端に上記の底部１３を備える一方、上端は開口していると共に、この上端から外方向に形成されたフランジ部１５を備える。このフランジ部１５は、シンクａの排水口ｂの周縁部に載置され、全体が支持される。筒状部１２には、底部１３の透水孔１４よりも大きな透水穴１６が形成されている。
【０００９】
除菌・抗菌性金属皮膜２についてさらに詳しく説明すると、この除菌・抗菌性金属皮膜２は、銀、銅、亜鉛から選択された少なくとも１種の、除菌・抗菌作用を有する金属を含有する皮膜であり、本例では、このうち最も抗菌・除菌作用に優れる銀が用いられている。
この皮膜は、次の方法で製造し得る。
まず、アルマイト加工済の平板状のアルミニウム合金板を、硝酸銀などの銀化合物の水溶液中に配位して電解加工する。この電解加工により、アルマイト加工によって表面に形成されたアルマイト皮膜中の微細孔に銀が埋め込まれ、除菌・抗菌性金属皮膜２となる。
【００１０】
このように除菌・抗菌性金属皮膜２が形成されたアルミニウム合金板に、透水穴１６を形成するとともに、プレス加工や絞り加工などの成形を施し筒状部１２を形成すると共に、別途形成されたパンチングメタルに除菌・抗菌性金属皮膜２の形成加工を行って、両者をカシメによって一体化することにより、図１に示すような有底筒状体が形成される。
このように、除菌・抗菌性金属皮膜２が形成されたアルミニウム合金板を成形するものであるため、成形後の加工が特に必要ではなく、比較的容易にゴミ受けすのこ１を製造することが可能である。
なお、工程の都合などにより、成形後に除菌・抗菌性金属皮膜２を形成する方法をとっても良い。
また、上記の成形後は無塗装のままでも良いが、外側表面に各色の塗装を行うこともできる。
【００１１】
本例では、図１に示すような、有底筒状体状に加工される前の平板状素材の状態で、表面全体に電解処理によって除菌・抗菌性金属皮膜２が形成されたものであるため、図３に示すように、ゴミ受けすのこ１の内外面の全体にこの除菌・抗菌性金属皮膜２が形成される。
なお、表面の一部にのみこの除菌・抗菌性金属皮膜２を形成したものであっても良い。また、本例では除菌・抗菌性金属皮膜２が形成された平板状素材を有底筒状体に加工したものであるため、除菌・抗菌性金属皮膜２がアルミ合金の素材に対して一体形成されているが、異種の材料で形成されたゴミ受けすのこに沿うように、この除菌・抗菌性金属皮膜２が形成されたアルミニウム合金板を貼り付けたものであっても良い。
【００１２】
また、本例のゴミ受けすのこ１は、アルミ合金の素材を加工したものであるが、材質はこれに限られるものではなく、ステンレス鋼や銅合金など、他の金属材料を用いたものであっても良いし、樹脂や紙や陶器など、非金属材料を用いたものであっても良い。
また、除菌・抗菌性金属皮膜２の形成についても、本例のような電解処理によるものに限られず、銀などの抗菌作用を有する金属を含有する塗料や樹脂を表面に塗布することによって形成したものであっても良いし、上記のように樹脂や紙や陶器などの非金属材料を用いた場合は、成形前の可塑状態にある素材に、銀などの抗菌作用を有する金属を練り込んだものとしても良い。なお、この場合は、ゴミ受けすのこ１の全体が除菌・抗菌性金属皮膜２となる。
このように、ゴミ受けすのこ１の少なくとも内面の一部に、銀、銅、亜鉛から選択された少なくとも１種の、除菌・抗菌作用を有する金属を含有する除菌・抗菌性金属皮膜２が形成されるものであれば、種々の手段で実施することができる。
【００１３】
上記のようにして形成されたゴミ受けすのこ１を、シンクａの底部に設けられた排水口ｂに装着することによって、除菌・抗菌性金属皮膜２の表面から、銀イオンなどの金属イオンが放散され、除菌・抗菌作用を発揮する。この銀イオンの除菌・抗菌作用により、ゴミ受けすのこ１に接する排水口ｂやシンクａにおける、雑菌、食中毒菌、その他の雑菌、インフルエンザウイルスなどのウイルス、カビなどを死滅あるいは減少させることができる。また、上記の除菌、抗菌作用により、臭いの元となる雑菌の繁殖を抑えることができる。そのため、ヌメリやカビなどの発生を抑制し、掃除も楽になる。
なお、除菌・抗菌性金属皮膜２から放散される銀イオンなどの除菌・抗菌作用を有する金属イオンの放散量は微量であるため、表面に付着した汚れを時々除去する程度の手入れで、長期久的に使用が可能である。
【図面の簡単な説明】
【００１４】
【図１】本願考案の実施の形態に係る流し台用のゴミ受けすのこの正面図である。
【図２】同平面図である。
【図３】図１の要部拡大断面図である。
【図４】同使用状態の説明図である。
【符号の説明】
【００１５】
１    ゴミ受けすのこ
１１  金属製本体
１２  筒状部
１３  底部
１４  透水孔
１５  フランジ部
１６  透水穴
２  除菌・抗菌性金属皮膜
【図１】
0003133905.tif 000003
【図２】
0003133905.tif 000004
【図３】
0003133905.tif 000005
【図４】
0003133905.tif 000006